(57)【要約】 【課題】  折り畳んだときに物干し竿が支持できなくなる点、マンションの広さや使用する物干し竿の本数に応じて複数種類製造しなければならない点。【解決手段】  第２支持アーム３の先端部を連結部７を中心として第１支持アーム２の基端部に向けて回動させたときに、該第２支持アーム３と第１支持アーム２との外形が重なると共に、該第１支持アーム２と第２支持アーム３の各々の支持部２Ａ，３Ａが重なるようにした。【効果】  第１支持アーム２と第２支持アーム３とを折り畳んだときには第１支持アーム２と第２支持アーム３の外形と共にそれぞれの支持部２Ａ，３Ａが重なるので、コンパクトに折り畳むことができ、また、折り畳んだときには支持する物干し竿の本数を減らした状態で使用でき、伸ばした際には折り畳んだ状態よりさらに多くの物干し竿を支持することができる。【選択図】    図１
2005110987.tif 000002
【特許請求の範囲】
【請求項１】
壁面に取り付けられて物干し竿を支持する物干し竿支持具であって、物干し竿を支持するための支持部が基端部から先端部に至る箇所にそれぞれ形成された第１支持アームと第２支持アームと、前記第１支持アームの基端部に形成された壁面への取付部と、前記第１支持アームの先端部と前記第２支持アームの基端部とに形成され、該第２支持アームを第１支持アームに対して回動可能に連結する連結部と、を備え、前記第２支持アームの先端部を前記連結部を中心として前記第１支持アームの基端部に向けて回動させたときに、該第２支持アームと第１支持アームとの外形が重なると共に、該第１支持アームと第２支持アームの各々の前記支持部が重なるように構成されたことを特徴とする物干し竿支持具。
【請求項２】
第１支持アームの基端部に、物干し竿を載置する載置部を形成したことを特徴とする請求項１記載の物干し竿支持具。
【請求項３】
取付部は、第１支持アームの基端部と一体とされると共に、上部と下部とに分割され、この上部から第１支持アームの先端部の下部にむけて補強部材を形成したことを特徴とする請求項２記載の物干し竿支持具。
【請求項４】
第２支持アームの先端部を前記連結部を中心として第１支持アームの基端部に向けて回動させたときの互いの重ね合わせ部位に第１及び第２支持アームの一部が係合する係合部を設けたことを特徴とする請求項１乃至３のいずれかに記載の物干し竿支持具。
【請求項５】
連結部は、第１又は第２支持アームのどちらかに形成された基板部と、第２又は第１支持アームのどちらかに形成された軸部と、前記基板部に形成され、前記軸部が該軸部に対して直交状に移動可能に挿通される孔部と、前記基板部の外縁部の中央位置に形成された円弧状のガイド部及びこのガイド部の両端部に形成された直線状のロック部と、前記軸部から径方向に所定間隔を存して形成され、前記基板部のガイド部及びロック部に当接する回動部とを備えたことを特徴とする請求項１乃至４のいずれかに記載の物干し竿支持具。
【発明の詳細な説明】
【技術分野】
【０００１】
本発明は、使用状況に応じてコンパクトに折り畳んで支持する物干し竿の本数を調整できると共に、コンパクトに折り畳んだときに使用しない物干し竿を高すぎたり低すぎたりしない位置で載置し、確実な補強を施しながらも構造を簡素化でき、さらに製造コストが削減できる物干し竿支持具に関するものである。
【背景技術】
【０００２】
従来、例えばマンション等のベランダにおいて、該ベランダにおける室内側の壁面に取り付けて物干し竿を支持する物干し竿支持具においては、壁面に対して直交状に伸ばして物干し竿を複数支持し、物干し竿を使用しないときには壁面側へ平行状に折り畳んで収納することができるものがある。  
【０００３】
こうした折り畳みが可能な物干し竿支持具としては、以下の特許文献１が存在する。
【特許文献１】特開２００３−７９９９９号公報
【０００４】
上記した特許文献１は、室内で使用することが前提とされており、物干し竿を支持するための竿支持アームが室内で突出して室内の外観が損なわれたり、突出した竿支持アームが邪魔になって居住性が損なわれるといった問題を解消するために、壁面に設けた折畳部を中心に該壁面に対して竿支持アームが、使用状態で壁面に対し直交状に、収納状態で壁面に対して平行状に、起到自在とされている。
【発明の開示】
【発明が解決しようとする課題】
【０００５】
しかしながら、従来の物干し竿支持具は、確かに物干し竿を使用しない（支持しない）ときには邪魔になるので折り畳むことが望ましいが、このとき次の問題が生じる。物干し竿は、洗濯物等を干すから当然に手の届く程度の高さで支持される。これは物干し竿を使用して洗濯物等を干すという前提でベランダにおいて壁面から所定幅だけ離間した位置で所定の高さとされているから特段に邪魔に感じることはない。
【０００６】
しかし、物干し竿を使用しないからといって物干し竿を支持したままで壁面と平行状に折り畳まむと、壁面に近接し、しかも高さが使用状態より低い位置に物干し竿が存在するとなれば、当然物干し竿が煩わしい存在となってしまうといった可能性がある。また、折り畳まれて壁面に近接したときにその高さが使用状態より高い位置に物干し竿が存在する場合は、前記した不具合は生じないが、その反面ベランダにおける高さの制約をクリアする必要があるとともに、今度は手が届きにくくなって使用状態に戻すことが困難であるといった問題がある。
【０００７】
物干し竿自体が邪魔になるという観点から物干し竿支持具を折り畳んだときには物干し竿を物干し竿支持具から外してしまうということが考えられるが、その場合は、物干し竿支持具から外した物干し竿をベランダのどこに保管するかが問題となる。壁面に立て掛けておくとしても高さの問題もあるし、使用時に再度物干し竿支持具に支持させるのも面倒となる。
【０００８】
さらに、竿支持アームを起到可能にするための構造が非常に複雑であると共に、壁面取付部から竿支持アームの先端までの荷重を支える（水分を含んだ洗濯物を干した状態をも考慮した）補強構造も必要となって、竿支持アームを起到させるための折畳部を製造するためにコストや手間がかかるといった問題があった。
【０００９】
また、一般的にマンション等のベランダで物干し竿支持具を取り付ける場合は、そのベランダの面積や消防上の規定によりおおよその大きさが決定されるが、例えば単身向きのマンションにおけるベランダと、世帯向きのマンションにおけるベランダと、では使用する物干し竿の本数が異なる。
【００１０】
すなわち、マンションの居室が単身向きである場合は、干す洗濯物の点数が少ないと想定されているから通常１〜２本の物干し竿が支持できれば十分であるし、ベランダの面積もさほど広くないのでその程度の本数が支持できる物干し竿支持具が取り付けられる。
【００１１】
また、マンションの居室が世帯向きである場合は、干す洗濯物の点数が多いと想定されているから通常３〜４本の物干し竿が支持でき、また、ベランダの面積も単身向けのそれよりも広く確保されているためその程度の本数が支持できる物干し竿支持具が取り付けられる。
【００１２】
ところが、例えば単身向けの場合であっても洗濯物が多い場合もあり、また、世帯向けであっても洗濯物が少ない場合もあり、こうした違いによって逐一単身向け、世帯向け、洗濯物の多い場合、洗濯物の少ない場合、と物干し竿支持具をそれぞれ用意して物干し竿を支持するようにすることは非常に効率が悪く、状況に応じて支持する物干し竿の本数を調整でき、かつ支持していない物干し竿を邪魔にならないように収納しておける物干し竿支持具が望まれていた。
【００１３】
解決しようとする問題点は、コンパクトに折り畳んだときに支持されている物干し竿が低い位置となって邪魔になったり、逆に高い位置となって使用状態にしにくくなったりする点、物干し竿支持具を折り畳んで物干し竿を該物干し竿支持具から外したときには物干し竿の保管位置として適当な位置がないと共に使用時に再度物干し竿支持具に支持させるのが面倒である点、及び竿支持アームを起到可能にするための構造が複雑となりコストや手間がかかる点、並びに状況に応じて支持する物干し竿の本数を支持しない物干し竿が邪魔にならないようにして調整できない点、である。
【課題を解決するための手段】
【００１４】
本発明は、第２支持アームの先端部を連結部を中心として第１支持アームの基端部に向けて回動させたときに、該第２支持アームと第１支持アームとの外形が重なると共に、該第１支持アームと第２支持アームの各々の支持部が重なるようにしたことを主要な特徴とする。
【発明の効果】
【００１５】
本発明は、上記構成とすることで、第１支持アームと第２支持アームとを折り畳んだときには第１支持アームと第２支持アームの外形と共にそれぞれの支持部が重なるので、コンパクトに折り畳むことができ、また、コンパクトに折り畳んだときには支持する物干し竿の本数を減らした状態で使用でき、伸ばした際には折り畳んだ状態よりさらに多くの物干し竿を支持することができる。
【発明を実施するための最良の形態】
【００１６】
本発明の物干し竿支持具は、壁面に取り付けられて物干し竿を支持する物干し竿支持具であって、物干し竿を支持するための支持部が基端部から先端部に至る箇所にそれぞれ形成された第１支持アームと第２支持アームと、第１支持アームの基端部に形成された壁面への取付部と、第１支持アームの先端部と第２支持アームの基端部とに形成され、該第２支持アームを第１支持アームに対して回動可能に連結する連結部と、を備え、第２支持アームの先端部を連結部を中心として第１支持アームの基端部に向けて回動させたときに、該第２支持アームと第１支持アームとの外形が重なると共に、該第１支持アームと第２支持アームの各々の支持部が重なるように構成されたものである。
【００１７】
上記構成において、第１支持アームと第２支持アームは、伸ばした際に第１支持アームから第２支持アームに向けて上方に傾斜した状態となるように例えばそれぞれ直線状に形成すると共に、各々を折り曲げたときに同位置となるように支持部を形成しておけば、第２支持アームを第１支持アームに対して折り曲げたときに、支持する物干し竿の軸方向から見て外形が重なると共に、支持部も重なる。
【００１８】
第１支持アームと第２支持アームを伸ばしているときは、各々の支持部は重なっていないから例えば第１支持及び第２アームにそれぞれ２箇所支持部を設けているときは、最大４本の物干し竿を支持することが可能となる。そして、例えば本発明の物干し竿支持具を単身向けのマンションのベランダなど、物干し竿を多数使用しないときには第２支持アームを第１支持アームに対して折り畳んで使用する。
【００１９】
このとき、上記したように第１及び第２支持アームにおける支持部が重なることで上記した例では物干し竿を２本支持することが可能となり、またベランダの壁面からの突出も小さくなる。
【００２０】
すなわち、本発明は、伸ばして使用するときは物干し竿が使用できるが、折り畳んだときには物干し竿が使用できないといった従来の物干し竿支持具に対して、物干し竿の支持本数を調整できることに着目している。つまり、従来の物干し竿支持具は、物干し竿の支持本数を調整できないからベランダの広さや使用前提とされた物干し竿の本数に応じて支持できる物干し竿の本数を定めた複数の種類が必要となる。
【００２１】
そのような従来の物干し竿支持具に対して、本発明の物干し竿支持具は、ベランダの狭い又は広いに拘わらず１種類で対応できるので、量産が可能で量産によるコスト低下が実現できるのである。例えば本発明の物干し竿支持具は、広いベランダで洗濯物が比較的多いときは物干し竿を多く要するから（支持部を多くするために）第１及び第２支持アームを伸ばして使用すればよく、逆に狭いベランダで洗濯物が比較的少ないときは物干し竿が少なくてよいから（支持部を減らし、かつコンパクトにするために）第２支持アームを第１支持アームに対して折り畳んで使用すればよいのである。
【００２２】
また、本発明の物干し竿支持具の第１支持アームと第２支持アームは、伸ばしたときには第１支持アームから第２支持アームに向けて上方に傾斜した全体で緩やかなＳ字状とされることが望ましい。このとき、第１支持アームは基端部から先端部に向けて下方に窪む凹状の円弧状とされ、一方、第２支持アームは基端部から先端部に向けて上方に膨らむ凸状の円弧状とされ、各々の円弧の曲率は等しくすると共に上記同様に第２支持アームが第１支持アームに対して折り畳んだときに同じ位置となるように各々の支持部を設けておけば、例えば２本の物干し竿に亘ってシーツを干した際に、風を通しやすくかつ日光にあたる面積を確保しやすくなる。
【００２３】
また、特に第１支持アームの基端部は、物干し竿を載置する載置部が形成される。すなわち、第１支持アームは、基端部から先端部に向けて上方に傾斜しているので、基端部と取付部とにおいて載置部が形成されることとなる。このようにすることで、第１支持アームと第２支持アームがコンパクトに折り畳まれ、そのときに使用しない物干し竿が発生したときには、載置部に載置しておくことができる。
【００２４】
そして、載置部は、第１支持アームの形状を利用できるから特別な別部材によって載置部を設ける必要もなく、部品点数が削減できるからコストの削減に寄与できる。また、この載置部は、第２支持アームを第１支持アームに対して折り畳んだ状態であっても物干し竿を使用する位置からさほど高さが変わらないので手が届かないといった場所でもなく、また、邪魔になる高さでもない。
【００２５】
また、上記構成において、取付部を、第１支持アームの基端部と一体にすると共に、上部と下部とに分割し、この上部から第１支持アームの先端部の下部にむけて補強部材を形成してもよい。すなわち、ベランダの壁面において物干し竿支持具を取り付けるための取付部は、上部から下部に亘って一体とされ、別部材を用いていることが非常に多い。この理由は、取付部や第１支持アームに相当する部材が別部材と考えられているからである。  
【００２６】
本発明の属する種類の物干し竿支持具は、取付部において荷重がかかるのは上部と下部であって、その中間位置は何らの荷重がかからないので無駄に部材を使っていることになる。従って、本発明では取付部を第１支持アームの基端部と一体に、ひいては第１支持アームにおいて取付部、支持部、連結部を一体に成型したうえで、取付部を上部と下部とに分割した構成とする。
【００２７】
そして、取付部における上部から第１支持アームの先端部の下部にむけて補強部材を同じく第１支持アームと一体的に形成する。このように構成することで、取付部や補強部材に相当する別部材が不要となるばかりか、使用材料の無駄を抑制でき、より一層の製造コストの削減が図れる。
【００２８】
さらに、上記した構成において、第２支持アームの先端部を前記連結部を中心として第１支持アームの基端部に向けて回動させたときの互いの重ね合わせ部位に第１及び第２支持アームの一部が係合する係合部を設けることで、折り畳んだときの第１及び第２支持アームの相互のがたつきを抑えることができる。
【００２９】
つまり、第２支持アームを第１支持アームに対して折り畳んだ際には、風が吹いたりするとこれらががたついて騒音を発生する可能性があるが、上記構成のように係合部を設けることによって、折り畳んだときのがたつきを抑えることができ、従って騒音も抑制できる。
【００３０】
また、上記した構成において、連結部は、第１又は第２支持アームのどちらかに形成された基板部と、第２又は第１支持アームのどちらかに形成された軸部と、前記基板部に形成され、前記軸部が該軸部に対して直交状に移動可能に挿通される孔部と、前記基板部の外縁部の中央位置に形成された円弧状のガイド部及びこのガイド部の両端部に形成された直線状のロック部と、前記軸部から径方向に所定間隔を存して形成され、前記基板部のガイド部及びロック部に当接する回動部とを備えた構成としてもよい。
【００３１】
上記構成では、第２支持アームを第１支持アームに対して折り畳んだ際、あるいは伸ばした際、基板部の孔部において軸部を移動させて、このときに回動部を基板部の外縁部における直線状のロック部に位置させ、回動部が該ロック部に当接しているときは第２支持アームがロックされる。
【００３２】
そして、この状態から、基板部の孔部において軸部を上記位置から移動させて、このときに回動部を基板部の外縁部における円弧状のガイド部に位置させることで、回動部がガイド部に当接した状態で回動可能となり、第２支持アームが第１支持アームに対して回動して折り畳んだり伸ばしたりすることができる。
【００３３】
このようにすることで、折り畳みと曲げ伸ばしの動作が確実となり、伸ばした状態で使用していて不意に第２支持アームが折り畳まれたりすることがない。また、以上の構成は、第１及び第２支持アームにおいて一体成形が可能な構成であるため、別部材を設けたりする必要がないと共に構造が簡素化されているので製造コストを削減できる。
【実施例】
【００３４】
以下、本発明の実施例について図１〜図１０を参照して説明する。
図１及び図２は、本発明の第１実施例の構成を示す。図３及び図４は、本発明の第２実施例の構成を示す。図５及び図６は、本発明の第３実施例の構成を示す。図７及び図８は、本発明の第４実施例の構成を示す。図９は、第１及び第２実施例における連結部の動作状況を示す。図１０は、第３及び第４実施例における連結部の動作状況を示す。
【００３５】
本発明の物干し竿支持具の共通する構成を第１実施例で代表して説明し、以降第２〜第４実施例では第１実施例に対して相違する構成のみを説明する。なお、以下の説明で、共通する構成要素には共通した参照番号を付すこととし、第１実施例では物干し竿支持具１１、第２実施例では物干し竿支持具２１、第３実施例では物干し竿支持具３１、第４実施例では物干し竿支持具４１とし、特にこれらを総称するときは参照番号を付さずに物干し竿支持具と記す。
【００３６】
（第１実施例：図１, 図２）
物干し竿支持具は、第１支持アーム２と第２支持アーム３とを有し、例えばベランダの外壁面においてそのベランダに出入りするための窓の両側で該窓の上端又は上縁より若干高い位置に後述する取付部４によって取り付けられる。
【００３７】
第１支持アーム２及び第２支持アーム３は、本発明においては第２支持アーム３の先端部を後述する連結部７を中心として第１支持アーム２の基端部に向けて回動させたときに、該第２支持アーム３と第１支持アーム２との外形が支持した物干し竿の軸方向から見て重なるように構成される。
【００３８】
そして、本第１〜第４実施例においては、例えば第１支持アーム２と第２支持アーム３は、伸ばしたときには全体として上方に傾斜した緩やかなＳ字状とされる。第１支持アーム２は基端部から先端部に向けて下方に窪む凹状の円弧状とされる。一方、第２支持アーム３は基端部から先端部に向けて上方に膨らむ凸状の円弧状とされる。さらには、第１支持アーム２と第２支持アーム３の各々の上記円弧の曲率は等しくされている。
【００３９】
第１支持アーム２及び第２支持アーム３は、例えば第１〜第４実施例では基端部から先端部に至る箇所にそれぞれ物干し竿を支持するための支持部２Ａ、支持部３Ａが各々２箇所形成されている。これら支持部２Ａ及び支持部３Ａは、連結部７の回動中心を基準として対称となる位置にあり、第２支持アーム３の先端部を後述する連結部７を中心として第１支持アーム２の基端部に向けて回動させたときに、支持した物干し竿の軸方向から見て重なるように形成されている。また、第１実施例では支持部２Ａ及び支持部３Ａは、円形でその円周において切欠部位が存在しない形状とされ、物干し竿が挿通されるように構成されている。
【００４０】
従って、第２支持アーム３を第１支持アーム２に対して伸ばしているときは図１に示すように支持部２Ａ（２箇所）及び支持部３Ａ（２箇所）の計４箇所に物干し竿が支持可能となる。また、第２支持アーム３を第１支持アーム２に対して折り畳んだときには図２に示すように支持部２Ａ（２箇所）と支持部３Ａ（２箇所）とが重なって計２箇所に物干し竿が支持可能となる。
【００４１】
第１支持アーム２には、例えば本第１〜第４実施例においては、その基端部に取付部４が一体的に形成されている。この取付部４は、上部取付部４Ａと下部取付部４Ｂとに分割されると共に、上部取付部４Ａから第１支持アーム２の先端部の下部にむけて補強部材４Ｃが同じく第１支持アームと一体的に形成されている。
【００４２】
さらに、第１支持アーム２は、本第１〜第４実施例では例えばその基端部において、該第１支持アーム２の上記した下方に窪む凹状の円弧状と取付部４とによって載置部５が形成されている。この載置部５は、例えば第２支持アーム３を第１支持アーム２に対して折り曲げたときに支持部２Ａ及び３Ａによって物干し竿を支持する数が減ったときに余った物干し竿をここに載置しておくものである。
【００４３】
また、第１支持アーム２における第２支持アーム３との重ね合わせ側の上部の一部には、例えば上部が開放状態とされて下部へと窪んだ窪部６Ａが形成されている。一方、第２支持アーム３における第１支持アーム２との重ね合わせ側の下部の一部には、例えば前記窪部６Ａに係合する突部６Ｂが形成されている。これら窪部６Ａと突部６Ｂとによって第２支持アーム３を第１支持アーム２に対して折り畳んだときに係合する係合部６を構成する。この係合部６によって第２支持アーム３が振動することが抑制される。
【００４４】
さらに、第１支持アーム２の先端部と第２支持アーム３との基端部においては、該第２支持アーム３を第１支持アーム２に対して回動可能に連結する連結部７が設けられている。この連結部７は、例えば連結基部７Ａが第１支持アーム２の先端部に、連結回動部７Ｂが第２支持アーム３の先端部に、各々第１支持アーム２、第２支持アーム３と一体的に形成されている。
【００４５】
第１及び第２実施例においては、連結部７は、図１〜図４及び詳細には図９に示しように構成される。連結基部７Ａは、その中央部に円状の孔７Ａａが形成されると共に、この孔７Ａａが形成された該連結基部７Ａの外縁部が円状に形成され、ここにガイド部７Ａｂが形成されている。一方、連結回動部７Ｂは、前記孔７Ａａに挿通される軸７Ｂａと、この軸７Ｂａの径方向に所定間隔を存し、かつ前記ガイド部７Ａｂと当接する回動部７Ｂｂが形成されている。
【００４６】
（第２実施例：図３, 図４）
第２実施例は、図１及び図２に示した第１実施例の構成と比較して、第２支持アーム３の支持部３Ａ, ３Ａに代えて、伸ばした状態で上部となる部分を切り欠いた形状の支持部３Ａ’，３Ａ’を有し、物干し竿を挿通するのではなく、その円弧状とされた下部において載置する構成とした点が異なる。
【００４７】
ここで、第１及び第２実施例（図１〜図４）において第２支持アーム３を第１支持アーム２に対して折り畳んだり伸ばしたりする際は、図９に示すように連結部７が動作する。すなわち、連結回動部７Ｂの回動部７Ｂｂは、常に連結基部７Ａのガイド部７Ａｂと当接しており、第２支持アーム３の先端部を第１支持アーム２の基端部に向けて回動させると、連結回動部７Ｂの軸７Ｂａを中心に回動され、このとき回動部７Ｂｂがガイド部７Ａｂに案内される。
【００４８】
（第３実施例：図５, 図６）
第３実施例は、図１及び図２に示した第１実施例の構成と比較して、第２支持アーム３をその動作停止時にロック可能とすべく連結部７の連結基部７Ａと連結回動部７Ｂを以下のように構成している点が異なる。
【００４９】
すなわち、連結基部７Ａは、例えば第１支持アーム２の基端部から先端部の方向に長円状に形成された移動孔７Ａａ’と、この連結基部７Ａの外縁部において中央位置に形成された円弧状のガイド部７Ａｂ’及びこのガイド部７Ａｂ’の両端部に形成された直線状のロック部７Ａｃ’, ７Ａｃ’とが形成されている。
【００５０】
一方、連結回動部７Ｂは、例えば前記移動孔７Ａａ’に挿通されて該移動孔７Ａａ’内で回動可能に移動する軸７Ｂａ’と、この軸７Ｂａ’から径方向に所定間隔を存し、かつ前記ガイド部７Ａｂ’及びロック部７Ａｃ’に当接する回動部７Ｂｂ’とが形成されている。
【００５１】
（第４実施例：図７, 図８）
第４実施例は、図１及び図２に示した第１実施例の構成と比較して、第２支持アーム３における支持部３Ａを図３及び図４に示した第２実施例のように支持部３Ａ’，３Ａ’とした点、及び連結部７を図５及び図６に示した第３実施例のように構成した点が異なる。  
【００５２】
ここで、第３及び第４実施例（図５〜図８）において第２支持アーム３を第１支持アーム２に対して折り畳んだり伸ばしたりする際は、図１０に示すように連結部７が動作する。すなわち、ロック状態にあるときは、連結回動部７Ｂの回動部７Ｂｂ’が連結基部７Ａの２箇所のロック部７Ａｃ’のいずれかに位置し、このとき軸７Ｂａ’が移動孔７Ａａ’における第１支持アーム２の基端部側に移動している。
【００５３】
いま、この状態で、第２支持アーム３を第１支持アーム２に対して折り畳んだり伸ばしたりしようとしても回動部７Ｂｂ’が、直線状のロック部７Ａｃ’に当接してつまり回動部７Ｂｂ’の回動軌道上にロック部７Ａｃ’が位置するために回動ができないのである。  
【００５４】
このロック状態から、折り畳んだり伸ばしたりする際は、一旦、第２支持アーム３全体を第１支持アーム２の先端側に移動させる。このとき軸７Ｂａ’が移動孔７Ａａ’における第１支持アーム２の先端側に移動することとなり、回動部７Ｂｂ’がロック部７Ａｃ’からガイド部７Ａｂ’の両端の一端に位置することになる。
【００５５】
従って、回動部７Ｂｂ’の回動軌道上にはロック部７Ａｃ’が位置しなくなり、その代わりにガイド部７Ａｂ’が位置するので、回動部７Ｂｂ’は該ガイド部７Ａｂ’にガイドされて回動が可能となり、折り畳んだり伸ばすことができる。
【００５６】
この後、回動部７Ｂｂ’がガイド部７Ａｂ’の両端のうちの上記とは異なる一端位置を超えて上記とは反対位置のロック部７Ａｃ’に到達したときに、第２支持アーム３全体を第１支持アーム２の基端部側に移動させることで、軸７Ｂａ’が移動孔７Ａａ’における第１支持アーム２の基端部側に移動して再度ロック状態となる。
【００５７】
上記構成の物干し竿支持具は、第１支持アーム２と第２支持アーム３を図１，図３，図５，図７のように伸ばしているときは、支持部２Ａと支持部３Ａ（３Ａ’）の最大４本の物干し竿を支持することができ、また、本発明の物干し竿支持具を単身向けのマンションのベランダなど、物干し竿を多数使用しないときには図２，図４，図６，図８に示すように第２支持アームを第１支持アームに対して折り畳んで使用することができる。
【００５８】
従って、本発明の物干し竿支持具は、マンションのベランダの面積や使用が想定される物干し竿の本数の多少に応じた複数種類を製造しなくてもよく、１種類でもってベランダの面積や使用が想定される物干し竿の本数の多少に対応させることが可能である。また、折り畳んでも確実に物干し竿を支持することが可能であると共に、折り畳めばベランダの外壁面からの突出も小さくできる。
【００５９】
また、上記第１〜第４実施例では、第１支持アーム２と第２支持アーム３を伸ばしたときに全体で緩やかなＳ字状とされるから例えばシーツなどを示すことができる。さらに、第１支持アーム２の基端部に載置部５が形成されるから、第１支持アーム２と第２支持アーム３を折り畳んだときに使用しない物干し竿を載置しておくことができる。
【００６０】
そして、載置部５は、第１支持アーム２と一体的に形成されていることから別部材によって設ける必要もなく、部品点数が削減できるからコストの削減に寄与できる。また、載置部５は、第２支持アーム３を第１支持アーム２に対して折り畳んだ状態であっても物干し竿を使用する位置からさほど高さが変わらないので手が届かないといった場所でもなく、また、邪魔になる高さでもなく、物干し竿の保管場所としても適当である。
【００６１】
さらに、本発明の物干し竿支持具は、取付部４が第１支持アーム２と一体にされると共に、上部取付部４Ａと下部取付部４Ｂとに分割し、この上部取付部４Ａから第１支持アーム２の先端部の下部にむけて補強部材４Ｃを第１支持アーム２と一体に形成しているので、取付部４における無駄な中間位置の部材を排除することができ、取付部４や補強部材４Ｃに相当する別部材の必要がなくなるがばかりか、使用材料の無駄を抑制でき、より一層の製造コストの削減が図れる。
【００６２】
また、本発明の物干し竿支持具は、第２支持アーム３を第１支持アーム２に対して折り畳んだ際に互いの重ね合わせ部位に窪部６Ａと突部６Ｂとからなる係合部６を設けることで、折り畳んだときの第１支持アーム２と第２支持アーム３の相互のがたつきを抑えることができ、従って風が吹いたときなどの騒音が抑制できる。
【００６３】
そして、第３及び第４実施例における物干し竿支持具３１，４１では、第２支持アーム３の第１支持アーム２に対する折り畳みや伸ばすことを禁止又は解除する構成としているので、第２支持アーム３を第１支持アーム２に折り畳んだ際、あるいは伸ばした後においては不用意に伸ばされたり折り畳まれたりすることがなくなり、操作が確実となる。さらに、連結基部７Ａを第１支持アーム２に、連結回動部７Ｂを第２支持アーム３に、各々一体的に形成しているので、別部材を設ける必要はないと共に構造が簡素化され、よって製造コストを削減できる。
【産業上の利用可能性】
【００６４】
上記本実施例では、支持部２Ａ，３Ａ（３Ａ’）は、第１支持アーム２、第２支持アーム３でそれぞれ２箇所に設けたが、第２支持アーム３を第１支持アーム２に対して折り畳んだときに、互いが物干し竿の軸方向から重なる位置であればさらに複数箇所、あるいは１箇所であってもよい。
【００６５】
また、第１支持アーム２と第２支持アーム３は、第２支持アーム３を第１支持アーム２に対して折り畳んだときに、互いが物干し竿の軸方向から重なる形状であれば、特に例えば直線状であってもよい。
【図面の簡単な説明】
【００６６】
【図１】本発明の物干し竿支持具の第１実施例構成を示し、第２支持アームを第１支持アームに対して伸ばした状態の、（ａ）は正面図、（ｂ）は（ａ）右側面図、（ｃ）は（ａ）背面図、（ｄ）は（ａ）の平面図である。
【図２】本発明の物干し竿支持具の第１実施例構成を示し、第２支持アームを第１支持アームに対して折り畳んだ状態の、（ａ）は正面図、（ｂ）は（ａ）右側面図、（ｃ）は（ａ）背面図、（ｄ）は（ａ）の平面図である。
【図３】本発明の物干し竿支持具の第２実施例構成を示し、第２支持アームを第１支持アームに対して伸ばした状態の、（ａ）は正面図、（ｂ）は（ａ）右側面図、（ｃ）は（ａ）背面図、（ｄ）は（ａ）の平面図である。
【図４】本発明の物干し竿支持具の第２実施例構成を示し、第２支持アームを第１支持アームに対して折り畳んだ状態の、（ａ）は正面図、（ｂ）は（ａ）右側面図、（ｃ）は（ａ）背面図、（ｄ）は（ａ）の平面図である。
【図５】本発明の物干し竿支持具の第３実施例構成を示し、第２支持アームを第１支持アームに対して伸ばした状態の、（ａ）は正面図、（ｂ）は（ａ）右側面図、（ｃ）は（ａ）背面図、（ｄ）は（ａ）の平面図である。
【図６】本発明の物干し竿支持具の第３実施例構成を示し、第２支持アームを第１支持アームに対して折り畳んだ状態の、（ａ）は正面図、（ｂ）は（ａ）右側面図、（ｃ）は（ａ）背面図、（ｄ）は（ａ）の平面図である。
【図７】本発明の物干し竿支持具の第４実施例構成を示し、第２支持アームを第１支持アームに対して伸ばした状態の、（ａ）は正面図、（ｂ）は（ａ）右側面図、（ｃ）は（ａ）背面図、（ｄ）は（ａ）の平面図である。
【図８】本発明の物干し竿支持具の第４実施例構成を示し、第２支持アームを第１支持アームに対して折り畳んだ状態の、（ａ）は正面図、（ｂ）は（ａ）右側面図、（ｃ）は（ａ）背面図、（ｄ）は（ａ）の平面図である。
【図９】（ａ）〜（ｃ）は、第１及び第２実施例における連結部の動作状況を示す図である。
【図１０】（ａ）〜（ｅ）は、第３及び第４実施例における連結部の動作状況を示す図である。
【符号の説明】
【００６７】
２  第１支持アーム
２Ａ  支持部
３  第２支持アーム
３Ｂ  支持部
３Ｂ’  支持部
４  取付部
４Ａ  上部取付部（上部）
４Ｂ  下部取付部（下部）
４Ｃ  補強部材
５  載置部
６  係合部
６Ａ  窪部
６Ｂ  突部
７  連結部
７Ａ  連結基部
７Ａａ  孔
７Ａａ’  移動孔
７Ａｂ  ガイド部
７Ａｂ’  ガイド部
７Ａｃ’  ロック部
７Ｂ  連結回動部
７Ｂａ  軸
７Ｂａ’  軸
７Ｂｂ  回動部
７Ｂｂ’  回動部
１１  物干し竿支持具（第１実施例）
２１  物干し竿支持具（第２実施例）
３１  物干し竿支持具（第３実施例）
４１  物干し竿支持具（第４実施例）
【図１】
2005110987.tif 000003
【図２】
2005110987.tif 000004
【図３】
2005110987.tif 000005
【図４】
2005110987.tif 000006
【図５】
2005110987.tif 000007
【図６】
2005110987.tif 000008
【図７】
2005110987.tif 000009
【図８】
2005110987.tif 000010
【図９】
2005110987.tif 000011
【図１０】
2005110987.tif 000012